(57)【要約】      （修正有）【課題】射照範囲を３６０°に近づけることができ、省エネ効果もあるランプの芯構造を提供する。【解決手段】導熱体１からなる。導熱体の一端面と周側面に、それぞれ少なくとも一つの発光素子１０を設け、各発光素子の間を電気的に接続する。前記導熱体は、円柱形、円管形、球柱体、円錐柱体の内の一つであり、前記発光素子は、ＬＥＤ、或いは、ＳＭＤ  ＬＥＤの内の一つである。【選択図】図２
0003178903.tif 000002
【実用新案登録請求の範囲】
【請求項１】
導熱体からなるランプの芯構造であって、
前記導熱体の一端面と周側面には、それぞれ、少なくとも一つの発光素子が設けられ、各発光素子の間は、相互に電気的に接続されることを特徴とする、ランプの芯構造。
【請求項２】
前記導熱体は、円柱形、円管形、球柱体、円錐柱体の内の一つであり、前記発光素子は、ＬＥＤ、或いは、ＳＭＤ  ＬＥＤの内の一つであることを特徴とする、請求項１に記載のランプの芯構造。
【請求項３】
前記導熱体は円柱形であり、その両端には、二つの円錐柱形の導熱体が設けられ、各円錐柱形の導熱体の一端面と周側面には、それぞれ、少なくとも一つの発光素子が設けられ、各発光素子の間は、電気的に接続されることを特徴とする、請求項１に記載のランプの芯構造。
【考案の詳細な説明】
【技術分野】
【０００１】
本考案はランプの芯構造に関し、特に射照範囲を３６０°に近づけることができ、省エネ効果もあるランプの芯構造に関する。
【背景技術】
【０００２】
近年、温室効果によって生じる危機に対応するため、各国政府及び国民は、日常生活でどうやってエネルギーの使用を減らしていけるかを考えており、それにより、照明関連製品が重視されている。例えば、従来の電力を消費しやすいタングステン電球は、次第に、より省エネのＬＥＤランプにとってかわられてきている。
【０００３】
ＬＥＤランプは、タングステン電球に比べて省エネで照明輝度も優れているものの、その多くは、単一或いは複数のＬＥＤを従来のプリント基板（ＰＣＢ）上に取り付けてなり、これは、光線が回路板のＬＥＤを取り付けた面の１８０°の半球面の範囲にしか行き届かない。図１に示すように、従来の照明用のＬＥＤランプの芯は、多くが、発光面は１２０°を基準としており、発光角度が１２０°ということは、照射範囲が２／３に限定されるということであり、図に示すように、組み立てた後の電球の周囲の下方３０°は、発光パワーが５０％にも及ばない領域であり（ここを半暗領域と呼ぶ）、回路板の底部は完全に発光することができない（ここを全暗領域と呼ぶ）。つまり、従来のタングステン電球の３６０°全球面範囲の照射に完全に取って代わることができないため、従来のＬＥＤランプは、かなり大きな改善の余地がある。
【考案の概要】
【考案が解決しようとする課題】
【０００４】
そこで、本考案は、射照範囲を３６０°に近づけることができ、省エネ効果もあるランプの芯構造を提供することを目的とする。
【課題を解決するための手段】
【０００５】
本考案のランプの芯構造は、アダプタに結合されるとともに、円柱形、円管形、球柱体、或いは、円錐柱体の導熱体を備え、導熱体の一端面と周側面には、それぞれ、複数のＬＥＤが設けられ、各ＬＥＤの間は、電気的に接続される。
【０００６】
本考案の別の形態のランプの芯構造は、少なくとも一つの円柱形の導熱体を備え、円柱形の導熱体の周側面には、複数のＬＥＤが設けられ、各ＬＥＤの間は電気的に接続される。また、二つの円錐柱形の導熱体が、それぞれ、円柱形の導熱体の両端に設けられ、円錐柱形の導熱体の一端面と周側面には、それぞれ、複数のＬＥＤが設けられ、各ＬＥＤの間は電気的に接続される。
【考案の効果】
【０００７】
本考案は、複数のＬＥＤを、円柱形、円管形、球柱体、或いは、円錐柱体の導熱体に設けることにより、ＬＥＤが発光した時、各ＬＥＤから発する光線が、相互に重なり、相互に補足しあい、それにより、照射範囲を３６０°まで近づけることができ、従来のＬＥＤランプの欠点を克服することができる。
【０００８】
また、本考案の導熱体を相互に結合させて棒状体を形成させることで、本考案を実際の運用時に多様化させることができ、しかも、この結合方式によって、ＬＥＤの照明輝度を向上させ、その照射範囲と領域を拡大させることができる。
【図面の簡単な説明】
【０００９】
【図１】従来の電球の光線照明を示した説明図である。
【図２】本考案の実施例１をソケットに結合した状態を示した構造図である。
【図３】本考案の実施例１をソケットに設けた状態の外観を示した斜視図である。
【図４】本考案の電球の光線照明を示した説明図である。
【図５】本考案の実施例２の第一形態の外観を示した斜視図である。
【図６】本考案の実施例２の第二形態の外観を示した斜視図である。
【図７】本考案の複数の実施例を結合させた状態の外観を示した斜視図である。
【図８】本考案の実施例３の第一形態の外観を示した斜視図である。
【図９】本考案の実施例３の第二形態の外観を示した斜視図である。
【考案を実施するための形態】
【００１０】
（実施例１）
図２、図３、図４に示すように、導熱体１の頂端及び環状の周側面に、複数のＬＥＤ１０を配列させた後、ネジ山或いは適切な加工により、その他の導熱棒材と組み合わせることができ、それにより、従来の平板型ＬＥＤ発光モジュールにとって代わることができる。その内、導熱体１は、アダプタ４の表面に形成され、アダプタ４は、ソケット２に取り付けられる。ランプカバー２０は、ソケット２に結合され、それにより、導熱体１は、ランプカバー２０によって被覆される。図１と図２に示すように、本考案のＬＥＤ１０は、導熱体１の端面と周側面に設けられる。このように設置することで、ＬＥＤ１０が発光した時、各ＬＥＤ１０から発する光線が、相互に重なり、或いは、相互補足しあい、それにより、その照射範囲は、３６０°近くまで達する。また、ＬＥＤ１０が発光する時に生じる熱は、導熱体１を介して大気中に発散され、それにより、ＬＥＤ１０が熱くなりすぎて破損するのを防ぐことができる。
【００１１】
本考案の導熱体１の周側面と頂面を両方発光させる技術により、縦軸の元々不足していた半球の部分を補足するだけでなく、横軸の下半球の６０°まで延伸させることができる。結果として、３０°のみ残る（上記した半暗領域）が、この半暗領域部分は、ちょうどソケット部分であるため、本考案の構造を用いると、元の全暗領域だった箇所がなくなり、従来のＬＥＤランプの欠点を克服することができる。
【００１２】
（実施例２）
図５と図６は、本考案の実施例２を示している。図５は、本実施例の第一形態であり、円錐柱形の導熱体３の面積が小さい端面と周側面に、それぞれ、複数のＬＥＤ３０を設け、各ＬＥＤ３０の間を、導電金属回路３１で電気的に接続する。図６は、本実施例の第二形態であり、第一形態では面積が小さい端面に設けていたＬＥＤ３０を面積が大きい端面に設けている。
【００１３】
図７を参照する。本考案の実施例１の少なくとも一つの円柱形の導熱体１の両端に、それぞれ、本考案の実施例２の円錐柱形の導熱体３を設けることで、棒状体ランプの芯構造を形成させ、それにより、照明輝度と照射範囲を増大させている。前記棒状体の二つの端面と周側面には、それぞれ、複数のＬＥＤ１０、３０を設け、各ＬＥＤ１０、３０の間を、導電金属回路１１、３１で電気的に接続している。
【００１４】
（実施例３）
図８と図９は、本考案の実施例３を示している。図８は、本実施例の第一形態であり、球柱体の導熱体３の球面と周側面に、それぞれ複数のＬＥＤ３０を設け、各ＬＥＤ３０の間を、導電金属回路３１で電気的に接続している。図９は、本実施例の第二形態であり、第一形態では面積が小さい球面に設けていたＬＥＤ３０を面積が大きい球面に設けている。
【００１５】
この他、本考案において、導熱体１は、円柱形、円管形、球柱体、円錐柱体の内の一つにすることができるとともに、導熱セラミックス、プラスチック、レジングルー、絶縁を塗布した金属、ガラス材料の内の一つからなる。また、アダプタ４は、金属及びその合金、耐高温導熱プラスチック、導熱セラミックスの内の一つからなる。その表面には、さらに、複数のＬＥＤ１０を設け、各ＬＥＤ１０の間は電気的に接続することもできるし、ＬＥＤ１０を設けないこともでき、制限はない。
【符号の説明】
【００１６】
１      導熱体
１０    ＬＥＤ
１１    導電金属回路
２      ソケット
２０    ランプカバー
３      導熱体
３０    ＬＥＤ
３１    導電金属回路
４      アダプタ
【図１】
0003178903.tif 000003
【図２】
0003178903.tif 000004
【図３】
0003178903.tif 000005
【図４】
0003178903.tif 000006
【図５】
0003178903.tif 000007
【図６】
0003178903.tif 000008
【図７】
0003178903.tif 000009
【図８】
0003178903.tif 000010
【図９】
0003178903.tif 000011